【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】
複数の画像が記録される記録媒体であって、
前記画像は、静止画像であり、
静止画像毎に表示時間が設定されていることを特徴とする記録媒体。
【請求項２】
複数の画像を記録する記録方法であって、
前記画像は、静止画像であり、
静止画像毎に表示間が設定されていることを特徴とする記録方法。
【請求項３】
複数の画像を再生する再生方法であって、
前記画像は、静止画像であり、
静止画像毎に表示時間が設定されていることを特徴とする再生方法。
【手続補正２】
【補正対象書類名】明細書
【補正対象項目名】０００７
【補正方法】変更
【補正の内容】
【０００７】
【課題を解決するための手段】
上記目的は、特許請求の範囲に記載の発明により解決される。
【手続補正３】
【補正対象書類名】明細書
【補正対象項目名】０００８
【補正方法】削除
【補正の内容】
【手続補正４】
【補正対象書類名】明細書
【補正対象項目名】００２２
【補正方法】変更
【補正の内容】
【００２２】
また、本実施例では、画像情報ファイルは３０１の１つのみとしたが、複数あってもよいし、３０２，３０３のような、各再生シーケンス情報ファイルごとに再生時間、再生時間が異なるファイルはいくつでもよい。
また、本実施例では画像情報ファイルに扱われる画像の再生時間を、再生される時刻として記録するように表したが、この再生時刻を、一枚の画像の再生時間として記録するようにしてもよい。
以上のように、実施例においては、以下の記録媒体、記録方法、再生方法を提供できる。
１．複数の画像情報を記憶し、各々の画像情報は、再生する時間情報を有し、前記各々の画像情報を、再生する順番に一つのファイルで記憶する記録媒体。
２．所定の再生する時間情報を有する複数の画像情報が再生される順番で並べられている複数画像ファイルと、任意の再生する時間情報を有する一つの画像情報よりなる単一画像ファイルと、前記複数画像ファイルと前記単一画像ファイルの再生順番を示す情報よりなるプレイリストファイルと、を記憶する記録媒体。
３．前記２．に記載の記録媒体であって、前記プレイリストファイルは、前記任意の再生する時間情報を有する画像情報について、所定の再生時間を示す情報を有する記録媒体。
４．前記２．又は３．に記載の記録媒体であって、前記単一画像ファイルは、複数のプレイリストファイルに関連付けられる記録媒体。
５．再生順序及び再生時間が固定されている複数の画像情報を一つの複数画像ファイルとして記憶し、再生時間が固定されていない一つの画像情報を一つの単一画像ファイルとして記憶し、前記複数画像ファイルと前記単一画像ファイルの再生順番を示すプレイリストファイルを記憶する記録媒体。
６．前記５．に記載の記録媒体であって、前記プレイリストファイルは、前記再生時間が固定されていない画像情報について、所定の再生時間を示す情報を有する記録媒体。
７．前記５．又は６．に記載の記録媒体であって、前記単一画像ファイルは、複数のプレイリストファイルに関連付けられる記録媒体。
８．所定の再生する時間情報を有する複数の画像情報が再生される順番で並べられている複数画像情報群と、任意の再生する時間情報を有する一つの画像情報と、を異なる時間軸とする一つのファイルと、前記複数画像情報群と前記任意の再生する時間情報を有する画像情報の再生順番を示す情報よりなるプレイリストファイルと、を記憶する記録媒体。
９．前記８．に記載の記録媒体であって、前記プレイリストファイルは、前記任意の再生する時間情報を有する画像情報について、所定の再生時間を示す情報を有する記録媒体。
１０．前記８.又は９．に記載の記録媒体であって、前記任意の再生する時間情報を有する画像情報は、複数のプレイリストファイルに関連付けられる記録媒体。
１１．再生順序及び再生時間が固定されている複数の画像情報群と、再生時間が固定されていない一つの画像情報と、を異なる時間軸とする一つのファイルと、前記複数の画像情報群と前記再生時間が固定されていない画像情報の再生順番を示すプレイリストファイルと、を記憶する記録媒体。
１２．前記１１．に記載の記録媒体であって、前記プレイリストファイルは、前記再生時間が固定されていない画像情報について、所定の再生時間を示す情報を有する記録媒体。
１３．前記１１．又は１２．に記載の記録媒体であって、前記再生時間が固定されていない画像情報は、複数のプレイリストファイルに関連付けられる記録媒体。
１４．画像情報を記録媒体に記録する記録方法において、各々の画像情報に再生する時間情報を付加し、前記各々の画像情報を、再生する順番に一つのファイルとして前記記録媒体に記録する記録方法。
１５．画像情報を記録媒体に記録する記録方法において、各々に所定の再生する時間情報を付加した複数の画像情報を、再生される順番で並べて、一つの複数画像ファイルとして前記記録媒体に記録し、任意の再生する時間情報を付加した一つの画像情報を、一つの単一画像ファイルとして前記記録媒体に記録し、前記複数画像ファイルと前記単一画像ファイルの再生順番を示す情報よりなるプレイリストファイルを前記記録媒体に記録する記録方法。
１６．画像情報を記録媒体に記録する記録方法において、再生順序及び再生時間が固定されている複数の画像情報を一つの複数画像ファイルとして前記記録媒体に記録し、再生時間が固定されていない一つの画像情報を一つの単一画像ファイルとして前記記録媒体に記録し、前記複数画像ファイルと前記単一画像ファイルの再生順番を示すプレイリストファイルを前記記録媒体に記録する記録方法。
１７．画像情報を記録媒体に記録する記録方法において、所定の再生する時間情報を付加した複数の画像情報を再生する順番で並べた複数画像情報群と、任意の再生する時間情報を付加した一つの画像情報と、を異なる時間軸で一つのファイルとして前記記録媒体に記録し、前記複数画像情報群と前記任意の再生する時間情報を有する画像情報の再生順番を示す情報よりなるプレイリストファイルを前記記録媒体に記録する記録方法。
１８．画像情報を記録媒体に記録する記録方法において、再生順序及び再生時間が固定されている複数の画像情報群と、再生時間が固定されていない一つの画像情報と、を異なる時間軸で一つのファイルとして前記記録媒体に記録し、前記複数の画像情報群と前記再生時間が固定されていない画像情報の再生順番を示すプレイリストファイルを前記記録媒体に記録する記録方法。
１９．記録媒体に記録された画像情報を再生する再生方法であって、前記記録媒体に記録された再生順序を規定するプレイリストファイルに基いて画像ファイルの再生順序を制御し、各々に所定の再生する時間情報が付加された複数の画像情報からなる複数画像ファイルについては、付加されている時間情報に基き再生時間を制御し、任意の再生する時間情報が付加された単一の画像情報からなる単一画像ファイルについては、所定の指示があるまで再生を継続する再生方法。
２０．記録媒体に記録された画像情報を再生する再生方法であって、前記記録媒体に記録された再生順序を規定するプレイリストファイルに基いて画像ファイルの再生順序を制御し、各々に所定の再生する時間情報が付加された複数の画像情報からなる時間軸の画像情報は、付加されている時間情報に基き再生時間を制御し、任意の再生する時間情報が付加された単一の画像情報からなる時間軸の画像情報は、所定の指示があるまで再生を継続する再生方法。
また、実施例では、画像情報を記録媒体に記録する技術において、各々の画像情報に再生する時間情報を付加し、前記各々の画像情報を、再生する順番に一つのファイルとして前記記録媒体に記録する技術を提供する。
また、画像情報を記録媒体に記録する技術において、各々に所定の再生する時間情報を付加した複数の画像情報を、再生される順番で並べて、一つの複数画像ファイルとして前記記録媒体に記録し、任意の再生する時間情報を付加した一つの画像情報を、一つの単一画像ファイルとして前記記録媒体に記録し、前記複数画像ファイルと前記単一画像ファイルの再生順番を示す情報よりなるプレイリストファイルを前記記録媒体に記録する技術を提供する。
【手続補正５】
【補正対象書類名】明細書
【補正対象項目名】００２３
【補正方法】変更
【補正の内容】
【００２３】
【発明の効果】
以上、本発明は、静止画像の再生時間の設定の自由度を高めることができる。